(57)【要約】【課題】  漏水しにくく、低コストで信頼性の高いカバー材及びカバー材を用いた建物の防水構造を提供することを目的とする。【解決手段】  建物の屋外側に設けられ、くびれ部３２を持った突出部３を有する部材１と該部材１の端縁部側の部材４との間に設けられたカバー材２であって、  平板部２１とその下面に一体化された断面略逆Ｕ字状で開口側が狭められた形状の嵌合部２２からなり、該嵌合部２２は前記くびれ部３２に嵌着可能とされている。【選択図】  図１
2005155032.tif 000002
【特許請求の範囲】
【請求項１】
建物の屋外側に設けられ、くびれ部を持った突出部を有する部材と該部材の端縁部側の部材との間に設けられたカバー材であって、
平板部とその下面に一体化された断面略逆Ｕ字状で開口側が狭められた形状の嵌合部からなり、該嵌合部は前記くびれ部に嵌着可能とされたことを特徴とするカバー材。
【請求項２】
請求項１記載のカバー材を用いた建物の防水構造であって、前記くびれ部を持った突出部を有する部材が、面材同士の目地を被覆する目地カバー材であることを特徴とする建物の防水構造。
【請求項３】
請求項１記載のカバー材を用いた建物の防水構造であって、前記端縁部側の部材が軒先側の部材であり、該カバー材が軒先カバー材であることを特徴とする建物の防水構造。
【請求項４】
請求項１記載のカバー材を用いた建物の防水構造であって、前記端縁部側の部材が水上側の部材であり、該カバー材が水上カバー材であることを特徴とする建物の防水構造。
【発明の詳細な説明】
【技術分野】
【０００１】
本発明は、カバー材及びカバー材を用いた建物の防水構造に関する。
【背景技術】
【０００２】
一般に、屋根、バルコニー床、外壁、開口廻り等の建物の外部目地部には、止水材を設け、防水構造になされている。
特許文献１に記載の止水材は、屋根板を連結係合するジョイナー内に配設したもので、弾性材料で逆Ｕ字状に止水材本体を形成し、該止水材本体の内側対向位置に１乃至複数のひれ状止水弁を形成して成るものである。
上記したような止水材によると、止水弁が屋根板材を挟圧するようにして隙間をなくし、水の浸入を防止する。
【０００３】
また、特許文献２に記載の折板屋根は、隣り合う山部の膨出状頭部上に設置される取付部材と、隣り合う山部に挟まれる谷部との間のくびれ部に嵌着される係止部材と前記取付部材とを一体的に連結してなる取付装置に水切等を取付ける折板屋根の防水構造がある。
上記したような折板屋根の防水構造によると、前記取付装置が一体成形されているので製造コストの削減が可能で、台風等の強風が発生しても取付装置構成部材間の接合が破断する恐れがなくなり強固に水切等を折板屋根に固定することができる。
【特許文献１】特許第２５１９６６０号公報
【特許文献２】特開平７−３４６０９号公報
【発明の開示】
【発明が解決しようとする課題】
【０００４】
しかしながら、特許文献１に記載の止水材は、ひれ状止水弁が経年劣化すると弾性力の低下によって止水弁が開き、漏水しやすいという問題があった。
また、特許文献２に記載の折板屋根の防水構造は、隣り合う山部の膨出状頭部の間隔が広くなると前記取付装置の材積が増し、コスト高となる問題があった。
【０００５】
そこで、本発明の目的は、上記の問題点を解消し、漏水しにくく、低コストで信頼性の高いカバー材及びカバー材を用いた建物の防水構造を提供することを目的とする。
【課題を解決するための手段】
【０００６】
請求項１記載の発明は、建物の屋外側に設けられ、くびれ部を持った突出部を有する部材と該部材の端縁部側の部材との間に設けられたカバー材であって、
平板部とその下面に一体化された断面略逆Ｕ字状で開口側が狭められた形状の嵌合部からなり、該嵌合部は前記くびれ部に嵌着可能とされたことを特徴とする。
【０００７】
請求項２記載の発明は、請求項１記載のカバー材を用いた建物の防水構造であって、前記くびれ部を持った突出部を有する部材が、面材同士の目地を被覆する目地カバー材であることを特徴とする。
【０００８】
請求項３記載の発明は、請求項１記載のカバー材を用いた建物の防水構造であって、前記端縁部側の部材が軒先側の部材であり、該カバー材が軒先カバー材であることを特徴とする。
【０００９】
請求項４記載の発明は、請求項１記載のカバー材を用いた建物の防水構造であって、前記端縁部側の部材が水上側の部材であり、該カバー材が水上カバー材であることを特徴とする。
【発明の効果】
【００１０】
このように構成された請求項１記載のカバー材によると、平板部とその下面に一体化された断面略逆Ｕ字状で開口側が狭められた形状の嵌合部からなり、該嵌合部は前記くびれ部に嵌着可能とされる。その結果、カバー材が部材くびれ部に嵌着されるので、漏水しにくく信頼性の高い防水構造となる。そして、防水施工作業が容易である。
この際、従来技術のように、経年劣化によってひれ状止水材に生ずるような目開き等がなく、耐久性にすぐれる。
【００１１】
請求項２記載の建物の防水構造によると、さらに、前記くびれ部を持った突出部を有する部材が、面材同士の目地を被覆する目地カバー材であるので、平板部とその下面に一体化された断面略逆Ｕ字状で開口側が狭められた形状の嵌合部からなる本発明のカバー材を嵌着するだけでよく、請求項１記載と同様に漏水しにくく信頼性の高い防水構造となる。そして、防水施工作業が容易である。
【００１２】
請求項３記載の建物の防水構造によると、さらに、前記端縁部側の部材が軒先側の部材であり、該カバー材が軒先カバー材であるので、軒先側の部材と面材の目地部に設けられた前記くびれ部を持った突出部を有する部材との間を嵌着するだけでよく防水施工作業が容易である。又釘頭が露出せず、意匠性に優れる。
【００１３】
請求項４記載の建物の防水構造によると、さらに、前記端縁部側の部材が水上側の部材であり、該カバー材が水上カバー材であるので、水上側の部材と面材の目地部に設けられた前記くびれ部を持った突出部を有する部材との間を嵌着するだけでよく防水施工作業が容易である。
【発明を実施するための最良の形態】
【００１４】
以下、本発明の実施の形態について図面を参照しながら詳細に説明する。
【実施例１】
【００１５】
図１、図２は、本発明の実施例１であって、図１は屋根と樋上カバーとの間に設けられる軒先カバー取付説明図、図２（ａ）は屋根軒先の断面図、（ｂ）はイ部の拡大断面図、（ｃ）はロ部拡大断面図、（ｄ）はハ部拡大断面図である。
【００１６】
実施例１は、建物上面の屋外側に屋根面材１，１，１，・・・を隣接して取り付け、この屋根面材１の対向する端縁部間に目地カバー材３が設けられている。本発明のカバー材は軒先カバー材２であって、軒先カバー材２は平板部２１とその一端側の下面に一体化された断面略逆Ｕ字状で開口側が狭められた形状の嵌合部２２，２２を有し、嵌合部２２，２２の反対側は下向きにコの字状に折り曲げられた接合部位２４、及び樋上カバー４とリベット５を用いて接合するための空間としてコの字状の切り欠き２５，２５が設けられている。又、軒先カバー材２の嵌合部２２，２２や接合部位２４等の直交する端部はコの字状の立上部２３，２３を有している。
【００１７】
図１、図２を参照して更に詳細に説明すると、軒先カバー材２の接合部位２４を樋上カバー４の平板部４１と立上部４２の間に位置決めし、軒先カバー材２の下面に一体化された断面略逆Ｕ字状で開口側が狭められた嵌合部２２，２２を屋根面材１の目地カバー材３のくびれ部３２，３２に嵌合させる。
【００１８】
屋根面材１や目地カバー材３は、ステンレス鋼板や塩化ビニル樹脂被覆鋼板等の金属板（板厚０．３〜０．６ｍｍ）で形成されている。同様に軒先カバー材２及び下面に一体化された断面略逆Ｕ字状で開口側が狭められた嵌合部２２，２２も弾性材であるステンレス鋼板や塩化ビニル樹脂被覆鋼板等の金属板（板厚０．３〜０．６ｍｍ）で形成され、図１に示すように、上記折り曲げ部２２１，２２１が目地カバー材３のくびれ部３２、３２間に弾性力をきかせて嵌着される。
【００１９】
図２は図中流れ方向の矢印で示すように水下側の軒先を示す断面図であり、屋根面材１は板厚１２ｍｍの野地板からなる下地材１２及びアスファルトルーフィングの防水層１１の上に上記の鋼板により形成され、天井根太１５及び垂木１４により支えられている。
屋根面材１の端縁部側（図中左側の水下側）には樋４３が取付けられ、軒先化粧材であるパラペット６が取付けられている。樋４３の下部にはエプトシ−ラー（吸音材）４６が敷設され、さらにその下には軒天パネル４７が取付けられている。
【００２０】
本発明の軒先カバー２は屋根面材１の端縁部側で図２（ｄ）に示すように、樋４３の一端側をブチルテープ７で防水シールし、リベット５により屋根面材１の端縁部に固定される。そして軒先キャップ３１より内側（図２で右側）の目地カバー材３の上から軒先カバー材２の嵌合部２２を嵌着させる。又、樋４３の屋外側の他端側は図２（ｃ）に示すように、樋上カバー材４と軒先カバー材２の屋外側の接合部位２４とブチルテープ７で防水シールし、リベット５により固定される。さらに、図２（ｂ）に示すように、樋上カバー材４の立上部４２とパラペット６の上端部６１は庇上トリム４５により防水シールされている。
【００２１】
このように構成された本実施例１の建物の防水構造によると、軒先カバー材２は平板部２１とその下面に一体化された断面略逆Ｕ字状で開口側が狭められた形状の嵌合部２２，２２からなり、隣接して取付けられた屋根面材１，１，１・・・の対向する端縁部間に設けられたくびれ部を持った突出部を有する目地カバー材３のくびれ部３２，３２に嵌合部２２，２２が嵌着される。その結果、軒先カバー材２が屋根面材１の目地部に設けられた目地カバー材３のくびれ部に嵌着されるので、漏水しにくく信頼性の高い防水構造となる。又、防水施工作業が容易である。
この際、本発明の軒先カバー材２は嵌合部２２，２２が金属弾性体で構成されているので、従来技術のように、経年劣化によってひれ状止水材に生ずるような目開き等がなく、耐久性にすぐれる。
又、軒先カバー材２と樋上カバー材４とをリベット５にて固定するが釘頭が露出せず、意匠性、防水性に優れる。
【実施例２】
【００２２】
図３、図４は、本発明の実施例２であって、図３は屋根水上部と目地カバーとの間に設けられる水上カバー取付説明図、図４（ａ）は屋根水上の断面図、（ｂ）はイ部の拡大断面図である。
【００２３】
実施例２は、建物上面の屋外側に屋根面材１，１，１，・・・を隣接して取り付け、この屋根面材１、１の対向する端縁部間に目地カバー材３が設けられている。本発明のカバー材は水上カバー材２ｂであって、水上カバー材２ｂは平板部２１ｂと立上部２３ｂとで断面Ｌ字状であり、その下面に一体化された断面略逆Ｕ字状で開口側が狭められた形状の嵌合部２２ｂ，２２ｂを有している。
【００２４】
図３、図４を参照して更に詳細に説明すると、屋根面材１，１の対向する端縁部間に設けられた目地カバー材３の水上部３２ｂと屋根面材１の立上部１ｂとの当たり部１ｃにコーキングガン８ａで変成シリコン等のシーリング材８でコーキングする。この上に水上カバー材２ｂを、水上カバー材２ｂの嵌合部２２ｂ，２２ｂを目地カバー材３のくびれ部３２，３２に嵌合させる。
【００２５】
水上カバー材２ｂは、屋根面材１と同様に、ステンレス鋼板や塩化ビニル樹脂被覆鋼板等の金属板（板厚０．３〜０．６ｍｍ）で形成されている。同様に水上カバー２ｂの下面に一体化された断面略逆Ｕ字状で開口側が狭められた嵌合部２２ｂ，２２ｂも弾性材であるステンレス鋼板や塩化ビニル樹脂被覆鋼板等の金属板（板厚０．３〜０．６ｍｍ）で形成され、図３に示すように、上記折り曲げ部２２１ｂ，２２１ｂが目地カバー材３のくびれ部３１、３１間に弾性力をきかせて嵌着される。
【００２６】
図４は図中流れ方向の矢印で示すように水上側の軒先を示す断面図であり、屋根面材１は板厚１２ｍｍの野地板からなる下地材１２及びアスファルトルーフィングの防水層１１の上に上記の鋼板により形成され、天井根太１５及び垂木１４により支えられている。
屋根面材１の端縁部側（図中左側の水上側）には軒先化粧材であるパラペット６が取付けられている。その下には軒天パネル４７が取付けられている。
本発明の水上カバー材２ｂは屋根面材１の端縁部側で図４（ｂ）にイ部を拡大して示すように、屋根面材１の立上部１ｂ，水上カバー材２ｂの立上部２３ｂ，及びパラペット６の上端部６１とを庇上トリム４５により挟み込まれて防水シールされている。
【００２７】
このように構成された本実施例２の建物の防水構造によると、水上カバー材２ｂは平板部２１ｂとその下面に一体化された断面略逆Ｕ字状で開口側が狭められた形状の嵌合部２２ｂ，２２ｂからなり、隣接して取付けられた屋根面材１，１，１・・・の対向する端縁部間に設けられたくびれ部を持った突出部を有する目地カバー材３のくびれ部３２，３２に嵌合部２２ｂ，２２ｂが嵌着される。その結果、水上カバー材２ｂが屋根面材１の目地部に設けられた目地カバー材３のくびれ部３２，３２に嵌着されるので、漏水しにくく信頼性の高い防水構造となる。又、防水施工作業が容易である。
この際、本発明の水上カバー材２ｂは嵌合部２２ｂ，２２ｂが金属弾性体で構成されているので、従来技術のように、経年劣化によってひれ状止水材に生ずるような目開き等がなく、耐久性にすぐれる。
【図面の簡単な説明】
【００２８】
【図１】屋根と樋上カバーとの間に設けられる軒先カバーの取付説明図である。
【図２】（ａ）は屋根軒先の断面図、（ｂ）はイ部の拡大断面図、（ｃ）はロ部拡大断面図、（ｄ）はハ部拡大断面図である。
【図３】屋根水上部と目地カバーとの間に設けられる水上カバーの取付説明図である。
【図４】（ａ）は屋根水上の断面図、（ｂ）はイ部の拡大断面図である。
【符号の説明】
【００２９】
１      面材（屋根面材）
２      軒先カバー材
２１    平板部
２２    嵌合部
２ｂ    水上カバー材
２１ｂ  平板部
２２ｂ  嵌合部
３      目地カバー材
３１    軒先キャップ
３２    くびれ部
４      樋上カバー材
５      リベット
６      パラペット
７      ブチルテープ
８      コーキング
【図１】
2005155032.tif 000003
【図２】
2005155032.tif 000004
【図３】
2005155032.tif 000005
【図４】
2005155032.tif 000006